(57)【要約】  主軸の径方向中心部に形成され、主軸を軸方向に貫通する貫通孔の貫通孔内に、噴出ノズルから冷却気体を送り込む。冷却気体を、主軸の軸方向中間部の円周方向複数箇所に設けた径方向通気孔を介して、主軸の軸方向片端部乃至中間部の円周方向複数箇所に設けた軸方向通気孔に送り込み、各軸方向通気孔内を流通させ、排出孔から排出する。
2016133050.tif 000002
【特許請求の範囲】
【請求項１】
ハウジングと、
その軸方向片端寄り部分が前記ハウジングに対し、転がり軸受若しくは転がり軸受ユニットにより回転自在に支持され、使用時に前記軸方向の片端部に工具が取り付けられる主軸と、
前記主軸を回転駆動する為の電動モータと
を備えるスピンドル装置に於いて、
前記電動モータは、前記主軸の軸方向中間部に支持固定されたロータの外周面に、前記ハウジングに対して支持されたステータの内周面を対向させることで構成されており、
前記主軸の径方向中心部に、当該主軸を軸方向に貫通する貫通孔が設けられており、
前記主軸の軸方向中間部の、前記ロータを支持固定した部分よりも軸方向片側に位置する部分の円周方向複数箇所に、外周面と内周面とを連通する径方向通気孔が、それぞれ設けられており、
前記主軸の軸方向片端部乃至中間部の円周方向複数箇所に、前記主軸の軸方向片端面と前記各径方向通気孔の内周面とを連通する軸方向通気孔が、それぞれ設けられており、
前記主軸の軸方向片端寄り部分における、前記転がり軸受若しくは前記転がり軸受ユニットを外嵌した部分よりも軸方向片側に位置する部分の円周方向複数箇所に、前記主軸の外周面と、前記各軸方向通気孔の内周面とを連通する排出孔が、それぞれ設けられており、
前記各径方向通気孔の外径側開口部が、前記転がり軸受若しくは前記転がり軸受ユニットの内周面と、前記主軸の外周面に外嵌固定された他の部材とのいずれかにより塞がれており、
使用時に、前記貫通孔の軸方向他側開口部から冷却気体を送り込み、前記冷却気体を、前記各軸方向通気孔及び前記各径方向通気孔を通じて、前記各排出孔から排出するスピンドル装置。
【請求項２】
前記各径方向通気孔が、前記主軸の軸方向中間部における、前記転がり軸受若しくは転がり軸受ユニットを外嵌した部分と、前記ロータを支持固定した部分との間部分の円周方向複数箇所に設けられており、
前記各径方向通気孔の外径側開口部が、前記主軸の軸方向中間部における、前記転がり軸受若しくは転がり軸受ユニットを外嵌した部分と、前記ロータを支持固定した部分との間部分の外周面に外嵌固定された後で、当該外周面に仕上加工が施されたスリーブにより塞がれている、
請求項１に記載したスピンドル装置。
【請求項３】
前記ハウジングの軸方向片端部に塞ぎ板が設けられており、
前記塞ぎ板の内周面を、前記主軸の軸方向片端寄り部分における、前記転がり軸受若しくは転がり軸受ユニットを外嵌した部分と、前記各排出孔を設けた部分との間部分の外周面に、環状隙間を介して近接対向させており、
前記各排出孔の外径側開口部を、前記環状隙間の軸方向片側開口部よりも径方向内方に位置させている、請求項１又は請求項２に記載したスピンドル装置。
【発明の詳細な説明】
【技術分野】
【０００１】
本発明は、スピンドル装置に関する。
【背景技術】
【０００２】
旋盤や研削盤、ボール盤等の工作機械の主軸は、使用時に高速（例えば２００００［ｍｉｎ−１］以上の速度で）回転する。この様な主軸は、転がり軸受によりハウジングに対して回転自在に支持すると共に、主軸の回転時には、これら主軸及び転がり軸受を冷却する必要がある。特許文献１には、主軸をハウジングに対して回転自在に支持する転がり軸受を冷却する為の構造が記載されている。特許文献１の図４に記載された構造の場合、中空状の主軸（スピンドル）の前部の内部に給気路を設けると共に、主軸の外周面に吹出口を設けている。吹出口は、これら主軸の外周面と給気路の内周面とを連通する状態で設けられる。吹出口の外径側開口部は、内輪間座の内周面に対向する。この内輪間座は、主軸をハウジングに対して回転自在に支持する１対の玉軸受を構成する内輪同士の間に挟持される。主軸の回転時には、冷却気体を、主軸の外周面に形成した上流側開口部から給気路内に送り込み、主軸の前部を冷却する。更に、冷却気体を吹出口から噴出させて内輪間座の内周面に吹き付ける。これにより、内輪間座、延いては、内輪を冷却する。特許文献１に記載された構造の場合、給気路を形成する為の加工が面倒で、製造コストが増大する可能性がある。主軸の給気路が設けられていない後部乃至中間部は、冷却することができない。即ち、必要に応じて、別の冷却機構を設けなければならない。更に、特許文献１の図４に記載された構造の場合には、上流側開口部を主軸の外周面に設けている為、給気路の断面積を大きくし難く、冷却気体の流量を増大させ難い。この為、十分な冷却効果を得られない可能性がある。【０００３】
特許文献２には、電動モータを構成する各部材を冷却し、電動モータを収納するモータケースから噴出した冷却気体により、主軸や主軸をスピンドルケースに対して回転自在に支持する為の軸受を冷却する技術が記載されている。特許文献２に記載された技術の場合には、冷却気体が軸受内部を通過する為、冷却気体として、油を霧状にしたオイルミストや微粒子化した油を混入したオイルエアを使用する必要がある。これは、運転コストを上昇させることに繋がる。又、主軸と、電動モータの回転軸（モータシャフト）との連結部に設けられた、エアー入口穴の断面積を大きくし難く、冷却気体の流量を確保し難い為、十分な冷却効果を得られない可能性がある。
【先行技術文献】
【特許文献】
【０００４】
【特許文献１】日本国特開２０００−２９６４３９号公報
【特許文献２】日本国特開２００４−２５０８３２号公報
【特許文献３】日本国特開２００２−１６１９２２号公報
【発明の概要】
【発明が解決しようとする課題】
【０００５】
本発明は、上述の様な事情に鑑みて、優れた冷却性能の確保とコスト増大の防止との両立を図れる、スピンドル装置の構造を実現すべく発明したものである。
【課題を解決するための手段】
【０００６】
本発明のスピンドル装置は、例えば旋盤や研削盤、ボール盤等の工作機械に組み込んで使用するものであり、ハウジングと、主軸と、電動モータとを備える。
主軸は、軸方向片端寄り部分が前記ハウジングに対し、玉軸受や円筒ころ軸受等の転がり軸受、若しくは、１乃至複数個の転がり軸受と潤滑装置等とを組み合わせて成る転がり軸受ユニットにより回転自在に支持されている。主軸の軸方向片端部には、前記スピンドル装置を組み込んだ工作機械の使用時に、例えばクイル（断面円形の送り台）や刃物、或いは、被加工物を把持する為の把持具等の工具が取り付けられる。
前記電動モータは、前記主軸を回転駆動する為のものである。【０００７】
特に、本発明のスピンドル装置の場合には、前記電動モータを、前記主軸の軸方向中間部に支持固定されたロータの外周面に、前記ハウジングに対して支持されたステータの内周面を対向させることで構成する、所謂ビルトインモータとしている。
又、主軸の径方向中心部に、主軸を軸方向に貫通し、この主軸の軸方向片端面と軸方向他端面とを連通する貫通孔を設けている。但し、この貫通孔の軸方向片側開口部は、前記スピンドル装置の使用時には、前記主軸の軸方向片端部に取り付けた工具により塞がれる。
又、前記主軸の軸方向中間部における、前記ロータを支持固定した部分よりも軸方向片側に位置する部分の円周方向複数箇所に、外周面と内周面とを連通する径方向通気孔を、それぞれ放射状に設けている。
又、前記主軸の軸方向片端部乃至中間部の円周方向複数箇所に、主軸の軸方向片端面と前記各径方向通気孔の内周面とを連通する軸方向通気孔を、それぞれ設けている。
更に、前記主軸の軸方向片端寄り部分における、前記転がり軸受若しくは転がり軸受ユニットを外嵌した部分よりも軸方向片側に位置する部分の円周方向複数箇所に、前記主軸の外周面と前記各軸方向通気孔の内周面とを連通する排出孔を、それぞれ設けている。
そして、前記各径方向通気孔の外径側開口部を、前記転がり軸受若しくは転がり軸受ユニットの内周面、又は、前記主軸の外周面に外嵌固定された、スリーブや盲栓等の他の部材により塞いでいる。
上述の様な本発明のスピンドル装置の使用時には、前記貫通孔の軸方向他側開口部から冷却気体を送り込み、この冷却気体を、前記各軸方向通気孔及び前記各径方向通気孔を通じて、前記各排出孔から排出させる。【０００８】
上述の様な本発明を実施する場合に好ましくは、前記各径方向通気孔を、前記主軸の軸方向中間部における、前記転がり軸受若しくは転がり軸受ユニットを外嵌した部分と、前記ロータを支持固定した部分との間部分の円周方向複数箇所に設ける。
そして、前記各径方向通気孔の外径側開口部を、前記主軸の軸方向中間部における、前記転がり軸受若しくは転がり軸受ユニットを外嵌した部分と、前記ロータを支持固定した部分との間部分の外周面に、焼き嵌めや冷やし嵌め等を含む締り嵌めにより外嵌固定した後で、その外周面に研削加工等の仕上加工が施されたスリーブにより塞ぐ。【０００９】
上述の様な本発明を実施する場合に好ましくは、前記ハウジングの軸方向片端部に塞ぎ板を設ける。この塞ぎ板の内周面を、前記主軸の軸方向片端寄り部分における、前記転がり軸受若しくは転がり軸受ユニットを外嵌した部分と、前記各排出孔を設けた部分との間部分の外周面に、環状隙間を介して近接対向させる。そして、前記各排出孔の外径側開口部を、前記環状隙間の軸方向片端側開口部よりも径方向内方に位置させる。
【発明の効果】
【００１０】
上述の様に構成する本発明のスピンドル装置によれば、優れた冷却性能の確保とコスト増大の防止との両立を図れる。
即ち、本発明の場合、スピンドル装置の使用時に、主軸の径方向中心部に設けた貫通孔内に送り込まれた冷却気体は、この貫通孔内を流通する。そして、貫通孔内を流通する冷却気体は、主軸の軸方向中間部の円周方向複数箇所に設けた径方向通気孔を介して、主軸の軸方向片端部乃至中間部の円周方向複数箇所に設けた軸方向通気孔に送り込まれる。送り込まれた冷却気体は、これら各軸方向通気孔内を流通する。従って、主軸における、電動モータを構成するロータを支持固定した軸方向中間部、及び、転がり軸受若しくは転がり軸受ユニットを外嵌した軸方向片端寄り部分を、冷却気体により冷却できる。本発明の場合、各軸方向通気孔を、主軸の軸方向片端部乃至中間部の円周方向複数箇所に設けている。その為、主軸における、転がり軸受若しくは転がり軸受ユニットを外嵌した軸方向片端寄り部分の冷却を効率良く行える。この結果、温度上昇に伴う主軸の変形、即ち軸方向に関する変形を小さく抑えられ、例えばスピンドル装置を組み込んだ工作機械による加工精度を安定させられる。又、主軸の変形が安定するまでに要する時間が短く抑えられて、工作機械を暖機運転させる時間を短く抑えられる。本発明の場合、各径方向通気孔及び各軸方向通気孔を、それぞれ主軸の円周方向に沿った複数箇所に設けている。その為、この冷却気体の流量を十分確保できる。この面からも主軸の冷却を効果的に行える。
更に、本発明によれば、前記転がり軸受の内輪若しくは転がり軸受ユニットを構成する転がり軸受の内輪の冷却も行うことができ、転がり軸受若しくは転がり軸受ユニットの長寿命化を図れる。【００１１】
本発明の場合、貫通孔を、主軸を軸方向に貫通する状態で設けると共に、各径方向通気孔を、この主軸の外周面と内周面とを連通する状態で設けている。又、各軸方向通気孔を、この主軸の軸方向片端面と各径方向通気孔の内周面とを連通する状態で設けている。この為、冷却気体を通過させる流路を形成する為の加工を容易に行えて、スピンドル装置の製造コストを低減できる。又、本発明の場合、冷却気体は転がり軸受等の内部を通過しない。その為、冷却気体をオイルミストやオイルエアとする必要がなく、例えば圧縮空気であればよい。従って、スピンドル装置の運転コストの増大を抑えられる。
【図面の簡単な説明】
【００１２】
【図１】本発明の実施の形態の１例を示す断面図である。
【図２】主軸とスリーブとを取り出して示す断面図である。
【図３】本発明による冷却効果を説明する為の線図である。
【発明を実施するための形態】
【００１３】
図１〜２は、本発明の実施の形態の１例を示している。本例のスピンドル装置１は、例えば旋盤や研削盤、ボール盤等の工作機械に組み込んで使用するもので、ハウジング２と、主軸３と、電動モータ４とを備える。この様なスピンドル装置１は、この工作機械の使用時に、主軸３の軸方向片端部（図１〜２の左端部）に、例えばクイル（断面円形の支持部材）や刃物、或いは、被加工物を把持する為の把持具等の工具が取り付けられる。
【００１４】
ハウジング２は、高炭素鋼、クロムモリブデン鋼等の如き機械構造用鋼等の金属材料を鋳造或いは鍛造する等して造られた複数の部材を組み合わせて構成される。但し、ハウジング２は、全体を一体に構成することもできる。本例の場合、ハウジング２の内部に、ハウジング２やその他のスピンドル装置１を構成する部材を冷却する冷却気体を流通させる為の、ハウジング側通気路５を設けている。
【００１５】
主軸３は、その径方向中心部に、主軸３を軸方向に貫通する貫通孔６が形成された中空円筒状である。この貫通孔６の内周面の軸方向片端寄り部分には、工具の基端部外周面に形成された雄ねじ部を螺合する為の雌ねじ部７が形成される。主軸３の軸方向両端部は、それぞれ転がり軸受ユニット８ａ、８ｂにより、ハウジング２の内側に回転自在に支持される。
【００１６】
主軸３の軸方向片端部には、軸方向中間部及び他端部（図１〜２の右端部）よりも外径が大きな大径部９が設けられる。大径部９の径方向に関する厚さは、軸方向中間部及び他端部の径方向に関する厚さよりも大きい。これにより、工作機械の使用時に、主軸３の軸方向片端部に取り付けた工具から大径部９に加わる荷重に対する強度及び剛性を高くしている。
【００１７】
主軸３の軸方向他端部には、軸方向中間部及び片端部よりも外径が小さな小径部１０が設けられる。そして、大径部９の外周面と、ハウジング２の軸方向片端部内周面に設けられた軸受保持部１１ａとの間に、軸方向片側（図１の左側）の転がり軸受ユニット８ａが設けられる。小径部１０と、ハウジング２の軸方向他端寄り部分の内周面に設けられた軸受保持部１１ｂとの間に、軸方向他側（図１の右側）の転がり軸受ユニット８ｂが設けられる。
【００１８】
この様な転がり軸受ユニット８ａ、８ｂは、それぞれ１対ずつの転がり軸受１２ａ、１２ｂと潤滑装置１３ａ、１３ｂとを組み合わせて成る。図示の例の場合、転がり軸受１２ａ、１２ｂを、ラジアル荷重及びスラスト荷重を支承可能なアンギュラ型の玉軸受としている。但し、各転がり軸受１２ａ、１２ｂを、深溝型の玉軸受や円筒ころ軸受、円すいころ軸受とすることもできる。転がり軸受ユニット８ａ、８ｂを構成する転がり軸受は、それぞれ１個ずつ、或いは３個以上ずつとすることもできるし、これら転がり軸受ユニット８ａ、８ｂ同士の間で数を異ならせることもできる。具体的には、例えば軸方向片側の転がり軸受ユニット８ａを構成する転がり軸受の数を、軸方向他側の転がり軸受ユニット８ｂを構成する転がり軸受の数よりも多くすることもできる。
【００１９】
各潤滑装置１３ａ、１３ｂは、各転がり軸受１２ａ、１２ｂにグリース等の潤滑油を供給したり、オイルミストやオイルエアを噴射して、これら各転がり軸受１２ａ、１２ｂを潤滑すると共にこれら各転がり軸受１２ａ、１２ｂを冷却したりする。各潤滑装置１３ａ、１３ｂは、これら各転がり軸受１２ａ、１２ｂと軸方向に隣接する状態で設けられる。各潤滑装置１３ａ、１３ｂは、主軸３に外嵌固定した内径側間座１４ａ、１４ｂと、軸受保持部１１ａ、１１ｂに内嵌固定した外径側間座１５ａ、１５ｂとを備える。この様な潤滑装置１３ａ、１３ｂとしては、例えば特許文献３に記載された構造等、各種構造のものを使用できる。この様な潤滑装置１３ａ、１３ｂを省略することもできる。
【００２０】
本例の場合、軸方向片側の転がり軸受ユニット８ａにおける、最も軸方向他側に存在する潤滑装置１３ａの内径側間座１４ａの軸方向他端面を、大径部９の軸方向他端部に設けた外向鍔部１６の軸方向片側面に突き当てている。同様に外径側間座１５ａの軸方向他端面を、軸受保持部１１ａの奥端面に突き当てている。軸方向他側の転がり軸受ユニット８ｂにおける、最も軸方向片側に存在する潤滑装置１３ｂの内径側間座１４ｂの軸方向片端面を、小径部１０の軸方向片端部に存在する段差面１７に突き当てている。同様に外径側間座１５ｂの先端面を、軸受保持部１１ｂの奥端面に突き当てている。これにより、ハウジング２に対する主軸３の軸方向の位置決めを図っている。
【００２１】
本例の場合、軸方向片側の転がり軸受ユニット８ａのサイズ（内径及び軸方向幅）を、軸方向他側の転がり軸受ユニット８ｂのサイズよりも大きくして、軸方向片側の転がり軸受ユニット８ａの負荷容量を、この軸方向他側の転がり軸受ユニット８ｂの負荷容量よりも大きくしている。これにより、工作機械の使用時に、工具から主軸３に加わる荷重を支承可能としている。
【００２２】
ハウジング２の軸方向片端部には、略円輪状の塞ぎ板１８が支持固定される。主軸３の軸方向片端寄り部分における転がり軸受ユニット８ａを外嵌固定した部分には、転がり軸受ユニット８ａの軸方向片側に隣接する部材が設けられる。塞ぎ板１８の内周面は、この部材の外周面に、環状隙間を介して近接対向される。塞ぎ板１８の軸方向他側面の内径寄り部分は、転がり軸受ユニット８ａにおける最も軸方向片側に存在する転がり軸受１２ａの、内輪及び外輪の軸方向片端面に当接乃至近接対向される。これにより、転がり軸受ユニット８ａの内部への、加工油や切削屑、摩耗粉等の異物の侵入を防止する。
【００２３】
電動モータ４は、主軸３の軸方向中間部における外周面に支持固定されたロータ１９の外周面に、ハウジング２内に支持されたステータ２０の内周面を対向させて構成している。即ち、電動モータ４を、所謂ビルトインモータとしている。スピンドル装置１、又はこれを組み込んだ工作機械の運転時には、ステータ２０に通電することにより、主軸３が高速で（例えば２００００［ｍｉｎ−１］以上の速度で）回転する。
【００２４】
特に、本例の場合、主軸３の軸方向中間部における、転がり軸受ユニット８ａを外嵌した部分である大径部９と、ロータ１９を支持固定した部分との間部分の円周方向複数箇所、例えば円周方向等間隔８箇所に、外周面と内周面とを連通する径方向通気孔２１、２１を、それぞれ放射状に設けている。
【００２５】
主軸３の軸方向片端部乃至中間部の円周方向複数箇所、例えば円周方向等間隔８箇所に、主軸３の軸方向片端面と各径方向通気孔２１、２１の内周面とを連通する軸方向通気孔２２、２２を、それぞれ設けている。更に、主軸３の軸方向片端寄り部分である大径部９における、転がり軸受ユニット８ａを外嵌した部分よりも軸方向片側に位置する部分、即ち、軸方向片側に突出する部分の円周方向複数箇所に、主軸３の外周面と各軸方向通気孔２２、２２の内周面とを連通する排出孔２３、２３を、それぞれ設けている。周方向複数箇所とは、例えば円周方向等間隔８箇所とされる。
【００２６】
この様な排出孔２３、２３の外径側開口部は、塞ぎ板１８の内周面と主軸３の外周面との間に存在する環状隙間の軸方向片側開口部よりも径方向内方に位置させている。本例の場合、各径方向通気孔２１、２１と、各軸方向通気孔２２、２２と、各排出孔２３、２３とを、主軸３の円周方向に関して同位相となる状態で形成している。本例の場合、各径方向通気孔２１、２１の内径と各軸方向通気孔２２、２２の内径とを互いに等しくし、各排出孔２３、２３の内径を、これら各軸方向通気孔２２、２２の内径、及び前記各径方向通気孔２１、２１の内径よりも小さくしている。
【００２７】
主軸３の軸方向中間部における、軸方向片側の転がり軸受ユニット８ａを外嵌した部分と、ロータ１９を支持固定した部分との間部分の外周面に、金属製のスリーブ２４を外嵌固定している。本例の場合には、このスリーブ２４を主軸３の外周面に、締り嵌め（焼き嵌めや冷やし嵌め等を含む）により外嵌固定した後で、スリーブ２４の外周面に、このスリーブ２４の外周面と主軸３との同心性を向上する為の研削加工等の仕上加工を施している。
【００２８】
このスリーブ２４を主軸に外嵌固定することで、径方向通気孔２１の外径側開口部が塞がれる。また、スリーブ２４の代わりに盲栓等の他の部材を用いて塞いでもよい。更に、径方向通気孔２１を転がり軸受若しくは転がり軸受ユニットが配置される軸方向位置に形成すれば、径方向通気孔２１の外径側開口部を、転がり軸受若しくは転がり軸受ユニットの内周面で塞ぐことができる。その場合、部品点数を削減できる。
【００２９】
上述のスピンドル装置１、又はこれを組み込んだ工作機械の使用時、即ち主軸３の回転時には、ハウジング２の蓋体２５に支持固定され、先端部を貫通孔６の軸方向他側開口部に差し込んだ噴出ノズル２６から、この貫通孔６内に、圧縮空気である冷却気体を送り込む。この貫通孔６の軸方向片側開口部は、主軸３の軸方向片端部に取り付けた工具により塞がれている。この為、貫通孔６内に送り込まれた冷却気体は、各径方向通気孔２１、２１を介して各軸方向通気孔２２、２２内に送り込まれ、更に、各排出孔２３、２３から排出される。
【００３０】
本例のスピンドル装置１によれば、優れた冷却性能の確保とコスト増大の防止との両立を図れる。
即ち、本例の場合、スピンドル装置１の使用時に、貫通孔６内に送り込まれた冷却気体は、この貫通孔６内を流通し、各径方向通気孔２１、２１を介して各軸方向通気孔２２、２２内に送り込まれ、これら各軸方向通気孔２２、２２内を流通する。従って、主軸３の、電動モータ４を構成するロータ１９を支持固定した軸方向中間部、及び、転がり軸受ユニット８ａを外嵌した軸方向片端寄り部分を冷却できる。
【００３１】
特に本例の場合には、各軸方向通気孔２２、２２を、主軸３の軸方向片端部乃至中間部の円周方向複数箇所に設けている為、この主軸３の、転がり軸受ユニット８ａを外嵌した軸方向片端寄り部分の冷却を効率良く行える。
【００３２】
ここで、図３は、スピンドル装置の運転開始直後の、温度上昇に伴う熱膨張による主軸の変形量を示している。図３中、太い実線αは、本例のスピンドル装置１を構成する主軸３の変形量の変化を、細い実線βは、軸方向通気孔を設けていない場合の主軸の変形量の変化を、それぞれ示している。
【００３３】
図３から明らかな通り、本例のスピンドル装置１によれば、温度上昇に伴う熱膨張による主軸３の変形、即ち、軸方向に関する変形を小さく抑えられる。従って、例えばスピンドル装置１を組み込んだ工作機械による加工精度を安定させることができる。又、主軸３の変形が安定するまでに要する時間を短く抑えられる為、工作機械を暖機運転させる時間を短く抑えられる。
【００３４】
本例の場合、各径方向通気孔２１、２１と各軸方向通気孔２２、２２とを、それぞれ円周方向複数箇所に設けている為、貫通孔６の断面積と、各径方向通気孔２１、２１の断面積の総和と、各軸方向通気孔２２、２２の断面積の総和とを、ほぼ同じにできる。即ち、冷却気体の流路の途中に、断面積が過度に小さくなる部分がない。従って、この冷却気体の流量を十分確保でき、この面からも主軸３の冷却を効果的に行える。
【００３５】
更に、この主軸３の軸方向片端寄り部分に外嵌した、軸方向片側の転がり軸受ユニット８ａを構成する転がり軸受１２ａ、１２ａの内輪の冷却も行うことができ、この転がり軸受ユニット８ａの長寿命化を図れる。
【００３６】
本例の場合、貫通孔６を、主軸３を軸方向に貫通する状態で設けている。これと共に、各径方向通気孔２１、２１を、主軸３の外周面と内周面とを連通する状態で設け、各軸方向通気孔２２、２２を、この主軸３の軸方向片端面と各軸方向通気孔２２、２２の内周面とを連通する状態で設けている。この為、冷却気体を流通させる流路を形成する為の加工を容易に行えて、スピンドル装置１の製造コストを低減できる。
【００３７】
冷却気体は転がり軸受等の内部を通過しない為、この冷却気体をオイルミストやオイルエアとする必要がなく、例えば圧縮空気でよい。従って、スピンドル装置１の運転コストの増大を抑えられる。
【００３８】
主軸の内部に冷却水等の冷却流体を流通させる場合の様に、この主軸とハウジングとの間にロータリージョイントを設ける必要がない。この為、主軸３の回転数（回転速度）を極めて高速にできる。即ち、一般的な工作機械のスピンドル装置に組み込まれるロータリージョイントの許容回転速度が５００００［ｍｉｎ−１］程度であるのに対し、本例のスピンドル装置１の場合には、ロータリージョイントを設けていない為、主軸３の許容回転速度を３０００００［ｍｉｎ−１］程度まで大きくできる。
【００３９】
本例の場合、スリーブ２４を主軸３の外周面に外嵌固定した後で、このスリーブ２４の外周面に仕上加工を施している。この為、これら主軸３とスリーブ２４との同心性を良好にでき、主軸３の回転時の振れ回りを抑えて、主軸３の回転安定性を良好にできる。
【００４０】
更に、本例の場合には、各排出孔２３、２３の外径側開口部を、塞ぎ板１８の内周面と主軸３の外周面との間の環状隙間の軸方向片側開口部よりも径方向内方に位置させている。この為、各排出孔２３、２３から排出される冷却気体により、環状隙間の軸方向片側開口部の周辺部に存在する、加工油や切削屑、摩耗粉等の異物を吹き飛ばすことができる。即ち、エアシール効果を発揮できる。特に本例の場合、各排出孔２３、２３の内径を、各軸方向通気孔２２、２２の内径よりも小さくしている為、これら各排出孔２３、２３から排出される冷却気体の勢いを増大させて、エアシール効果の向上を図れる。
【００４１】
本例の場合、主軸３を回転駆動する為の電動モータ４を構成するロータ１９を、この主軸３の軸方向中間部に支持固定した、所謂ビルトインモータとしている。この為、スピンドル装置１の軸方向寸法を短縮し易く、スピンドル装置１の小型・軽量化を図り易い。
【００４２】
上述した本例のスピンドル装置１を実施する場合に、各径方向通気孔２１、２１及び各軸方向通気孔２２、２２、並びに、各排出孔２３、２３の数及び内径は、適宜変更できる。即ち、主軸３の回転を安定させる面からは、内径を小さくして、数を増やすことが有効であるが、冷却気体の流量を確保することが難しくなる。従って、各孔２１〜２３の数及び内径は、主軸３の回転安定性と、必要となる冷却気体の流量とに応じて、設計的に定める。
【００４３】
例えば、冷却気体の流量を５００Ｌ／ｍｉｎとした場合、貫通孔６、径方向通気孔２１、軸方向通気孔２２、排出孔２３は、次に示す内径で構成できる。
【００４４】
貫通孔の内径                  ：  φ２２．５ｍｍ
ロータ挿入部における主軸の外径：  φ４５ｍｍ
径方向通気孔の内径            ：  φ６ｍｍ
軸方向通気孔の内径            ：  φ６ｍｍ
排出孔の内径                  ：  φ４〜５ｍｍ
【００４５】
上記例のスピンドル装置は、貫通孔６の断面積よりも各径方向通気孔２１、２１の断面積の総和、及び各軸方向通気孔２２、２２の断面積の総和が小さく設定される。そして、排出孔２３、２３の断面積の総和は、上記の各断面積の総和より更に小さく設定される。
【００４６】
つまり、貫通孔６、各径方向通気孔２１と各軸方向通気孔２２、排出孔２３の順で通気路の断面積が小さく、通気路の下流側に行くほど、通気路の断面積が小さくなる。
【００４７】
この構成によれば、通気路の下流側ほど断面積が減少するので、冷却気体の速度は通気路の下流側ほど増加する。つまり、冷却気体の速度は、貫通孔６＜径方向通気孔２１、軸方向通気孔２２＜排出孔２３の速度分布となる。その結果、排出孔２３からのエア噴出速度が高く維持され、転がり軸受１２ａが発生する熱を冷却気体により効率よく持ち去ることができ、また、排出孔２３から高速で冷却気体が噴出されることで、ゴミや異物がスピンドル装置内部に侵入するのを防止できる。そして、冷却気体の流量を５００Ｌ／ｍｉｎ以上とすることで、排出孔２３から研削液を吹き飛ばし、スピンドル装置内部への研削液の侵入を防ぐことができる。
【００４８】
また、貫通孔６から径方向通気孔２１と軸方向通気孔２２への冷却気体の分配を平均化でき、主軸３の転がり軸受ユニット８ａを外嵌した軸方向片端寄り部分をムラ無く冷却することができる。
【００４９】
本出願は２０１５年２月１６日出願の日本国特許出願（特願２０１５−２７１９８）に基づくものであり、その内容はここに参照として取り込まれる。
【符号の説明】
【００５０】
１  スピンドル装置
２  ハウジング
３  主軸
４  電動モータ
６  貫通孔
８ａ、８ｂ  転がり軸受ユニット
１１ａ、１１ｂ  軸受保持部
１２ａ、１２ｂ  転がり軸受
１３ａ、１３ｂ  潤滑装置
１８  塞ぎ板
１９  ロータ
２０  ステータ
２１  径方向通気孔
２２  軸方向通気孔
２３  排出孔
２４  スリーブ
【図１】
2016133050.tif 000003
【図２】
2016133050.tif 000004
【図３】
2016133050.tif 000005
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
ハウジングと、
その軸方向片端寄り部分が前記ハウジングに対し、転がり軸受若しくは転がり軸受ユニットにより回転自在に支持され、使用時に前記軸方向の片端部に工具が取り付けられる主軸と、
前記主軸を回転駆動する為の電動モータと
を備えるスピンドル装置に於いて、
前記電動モータは、前記主軸の軸方向中間部に支持固定されたロータの外周面に、前記ハウジングに対して支持されたステータの内周面を対向させることで構成されており、
前記主軸の径方向中心部に、当該主軸を軸方向に貫通する貫通孔が設けられており、
前記主軸の軸方向中間部の、前記ロータを支持固定した部分よりも軸方向片側に位置する部分の円周方向複数箇所に、外周面と内周面とを連通する径方向通気孔が、それぞれ設けられており、
前記主軸の軸方向片端部乃至中間部の円周方向複数箇所に、前記主軸の軸方向片端面と前記各径方向通気孔の内周面とを連通する軸方向通気孔が、それぞれ設けられており、
前記主軸の軸方向片端寄り部分における、前記転がり軸受若しくは前記転がり軸受ユニットを外嵌した部分よりも軸方向片側に位置する部分の円周方向複数箇所に、前記主軸の外周面と、前記各軸方向通気孔の内周面とを連通する排出孔が、それぞれ設けられており、
前記各径方向通気孔の外径側開口部が、前記転がり軸受若しくは前記転がり軸受ユニットの内周面と、前記主軸の外周面に外嵌固定された他の部材とのいずれかにより塞がれており、
前記ハウジングの軸方向片端部に塞ぎ板が設けられており、
前記塞ぎ板の内周面を、前記主軸の軸方向片端寄り部分における、前記転がり軸受若しくは転がり軸受ユニットを外嵌した部分と、前記各排出孔を設けた部分との間部分の外周面に、環状隙間を介して近接対向させており、
前記各排出孔の外径側開口部を、前記環状隙間の軸方向片側開口部よりも径方向内方に位置させており、
使用時に、前記貫通孔の軸方向他側開口部から冷却気体を送り込み、前記冷却気体を、前記各軸方向通気孔及び前記各径方向通気孔を通じて、前記各排出孔から排出する、
スピンドル装置。
【請求項２】
前記各径方向通気孔が、前記主軸の軸方向中間部における、前記転がり軸受若しくは転がり軸受ユニットを外嵌した部分と、前記ロータを支持固定した部分との間部分の円周方向複数箇所に設けられており、
前記各径方向通気孔の外径側開口部が、前記主軸の軸方向中間部における、前記転がり軸受若しくは転がり軸受ユニットを外嵌した部分と、前記ロータを支持固定した部分との間部分の外周面に外嵌固定された後で、当該外周面に仕上加工が施されたスリーブにより塞がれている、
請求項１に記載したスピンドル装置。
【請求項３】
請求項１又は請求項２に記載のスピンドル装置を備えた工作機械。
【手続補正３】
【補正対象書類名】明細書
【補正対象項目名】０００１
【補正方法】変更
【補正の内容】
【０００１】
本発明は、スピンドル装置及び工作機械に関する。
【手続補正４】
【補正対象書類名】明細書
【補正対象項目名】０００５
【補正方法】変更
【補正の内容】
【０００５】
本発明は、上述の様な事情に鑑みて、優れた冷却性能の確保とコスト増大の防止との両立を図れる、スピンドル装置及び工作機械の構造を実現すべく発明したものである。
【手続補正５】
【補正対象書類名】明細書
【補正対象項目名】０００７
【補正方法】変更
【補正の内容】
【０００７】
特に、本発明のスピンドル装置の場合には、前記電動モータを、前記主軸の軸方向中間部に支持固定されたロータの外周面に、前記ハウジングに対して支持されたステータの内周面を対向させることで構成する、所謂ビルトインモータとしている。
又、主軸の径方向中心部に、主軸を軸方向に貫通し、この主軸の軸方向片端面と軸方向他端面とを連通する貫通孔を設けている。但し、この貫通孔の軸方向片側開口部は、前記スピンドル装置の使用時には、前記主軸の軸方向片端部に取り付けた工具により塞がれる。
又、前記主軸の軸方向中間部における、前記ロータを支持固定した部分よりも軸方向片側に位置する部分の円周方向複数箇所に、外周面と内周面とを連通する径方向通気孔を、それぞれ放射状に設けている。
又、前記主軸の軸方向片端部乃至中間部の円周方向複数箇所に、主軸の軸方向片端面と前記各径方向通気孔の内周面とを連通する軸方向通気孔を、それぞれ設けている。
更に、前記主軸の軸方向片端寄り部分における、前記転がり軸受若しくは転がり軸受ユニットを外嵌した部分よりも軸方向片側に位置する部分の円周方向複数箇所に、前記主軸の外周面と前記各軸方向通気孔の内周面とを連通する排出孔を、それぞれ設けている。
そして、前記各径方向通気孔の外径側開口部を、前記転がり軸受若しくは転がり軸受ユニットの内周面、又は、前記主軸の外周面に外嵌固定された、スリーブや盲栓等の他の部材により塞いでいる。
又、上述の様な本発明を実施する場合に好ましくは、前記ハウジングの軸方向片端部に塞ぎ板を設ける。この塞ぎ板の内周面を、前記主軸の軸方向片端寄り部分における、前記転がり軸受若しくは転がり軸受ユニットを外嵌した部分と、前記各排出孔を設けた部分との間部分の外周面に、環状隙間を介して近接対向させる。そして、前記各排出孔の外径側開口部を、前記環状隙間の軸方向片端側開口部よりも径方向内方に位置させる。
上述の様な本発明のスピンドル装置の使用時には、前記貫通孔の軸方向他側開口部から冷却気体を送り込み、この冷却気体を、前記各軸方向通気孔及び前記各径方向通気孔を通じて、前記各排出孔から排出させる。
【手続補正６】
【補正対象書類名】明細書
【補正対象項目名】０００９
【補正方法】削除
【補正の内容】
【国際調査報告】
2016133050.tif 000006
2016133050.tif 000007
2016133050.tif 000008
2016133050.tif 000009